(57)【特許請求の範囲】
【請求項１】
第１の孔部が形成された略筒形状であると共に、その内部に挿入された銃身の銃口を前記第１の孔部の近傍に位置せしめて固定可能な内壁部と、
該内壁部を略囲繞する外壁部と、
前記第１の孔部が形成された位置よりも銃身が挿入される側に配置され、前記内壁部と前記外壁部との間隙を閉塞する第１の閉塞部と、
前記第１の孔部が形成された位置よりも前記第１の閉塞部とは逆側に配置され、前記内壁部と前記外壁部との間隙を閉塞する第２の閉塞部と、
略筒形状で重心が偏って構成され、回転自在に形成されると共に、前記第１の孔部と前記第１の閉塞部の間の領域を前記内壁部及び前記外壁部に接した状態で移動可能なピストンと、
該ピストンと前記第１の閉塞部との間に配置され、前記第１の孔部と前記第１の閉塞部の間の領域を移動可能であると共に、弾性を有するピストン受け部材とを備える
砲口制退器。
【請求項２】
前記第１の孔部と前記ピストンの間に位置し、かつ、前記内壁部から前記外壁部側に突出した突起部を備える
請求項１に記載の砲口制退器。
【請求項３】
前記第１の閉塞部は開閉可能な第１の開口部が設けられた
請求項１または請求項２に記載の砲口制退器。
【請求項４】
第１の孔部が形成された略筒形状であると共に、その内部に挿入された銃身の銃口を前記第１の孔部の近傍に位置せしめて固定可能な内壁部と、
該内壁部を略囲繞すると共に、前記第１の孔部が形成された位置よりも前記銃身が挿入される側に第２の孔部が形成された外壁部と、
前記第１の孔部が形成された位置よりも銃身が挿入される側に配置され、前記内壁部と前記外壁部との間隙を閉塞する第１の閉塞部と、
前記第１の孔部が形成された位置よりも前記第１の閉塞部とは逆側に配置され、前記内壁部と前記外壁部との間隙を閉塞する第２の閉塞部と、
略筒形状であると共に、前記第１の孔部と前記第１の閉塞部の間の領域を前記内壁部及び前記外壁部に接した状態で移動可能なピストンと、
該ピストンと前記第１の閉塞部との間に配置され、前記第１の孔部と前記第１の閉塞部の間の領域を移動可能であると共に、弾性を有するピストン受け部材と、
前記外壁部を略囲繞する誘導外壁部と、
前記第２の孔部が形成された位置よりも銃身が挿入される側に配置され、前記外壁部と前記誘導外壁部との間隙を閉塞する第３の閉塞部と、
前記第２の孔部が形成された位置よりも前記第３の閉塞部とは逆側に配置され、前記外壁部と前記誘導外壁部との間隙を閉塞する第４の閉塞部と、
前記第３の閉塞部に設けられた開閉可能な第２の開口部と、
前記第４の閉塞部に設けられた第３の孔部と、
前記外壁部と前記誘導外壁部との間隙を閉塞すると共に、少なくとも一部に第４の孔部が形成された仕切り部とを備える
砲口制退器。
【請求項５】
前記仕切り部は、複数配置されると共に、隣接した前記仕切り部同士で前記誘導外壁部の長手方向と略直交する平面における前記第４の孔部の形成位置が異なる
請求項４に記載の砲口制退器。
【請求項６】
銃口近傍の領域に銃身孔部が形成された銃身と、
該銃身を内部に固定可能な略筒状形状であると共に、前記銃身孔部と対応する領域に第１の孔部が形成された内壁部と、
該内壁部を略囲繞すると共に、前記第１の孔部が形成された位置よりも前記銃身が挿入される側に第２の孔部が形成された外壁部と、
前記第１の孔部が形成された位置よりも銃身が挿入される側に配置され、前記内壁部と前記外壁部との間隙を閉塞する第１の閉塞部と、
前記第１の孔部が形成された位置よりも前記第１の閉塞部とは逆側に配置され、前記内壁部と前記外壁部との間隙を閉塞する第２の閉塞部と、
前記外壁部を略囲繞する誘導外壁部と、
前記第２の孔部が形成された位置よりも銃身が挿入される側に配置され、前記外壁部と前記誘導外壁部との間隙を閉塞する第３の閉塞部と、
前記第２の孔部が形成された位置よりも前記第３の閉塞部とは逆側に配置され、前記外壁部と前記誘導外壁部との間隙を閉塞する第４の閉塞部と、
前記第４の閉塞部に設けられた第３の孔部と、
前記外壁部と前記誘導外壁部との間隙を閉塞すると共に、少なくとも一部に第４の孔部が形成された仕切り部とを有する砲口制退器とを備える
銃火器。
【発明の詳細な説明】
【技術分野】
【０００１】
本発明は、砲口制退器及び銃火器に関する。詳しくは、発射時のガスの影響を効率よく低減できる砲口制退器及び銃火器に係るものである。
【背景技術】
【０００２】
銃や大砲などの銃砲類では、火薬の燃焼ガスの圧力で銃身から弾丸を発射する。弾丸発射時には銃身内部で強力なガス圧により、弾丸を発射する力と、射手側への反動や砲の後座へと働く反作用の力が生じる。【０００３】
また、ガスによる反動は、銃のグリップを上部に跳ね上げる方向に働き、この結果、銃口が上側に向くマズルジャンプと呼ばれる現象にもつながる。ガスによる反動は、銃が後退して射手の肩に当たる等、身体的な痛みやけがに繋がることがある。また、発射時の命中精度も低下させる。さらに、次弾の発射体勢に影響が及ぶ場合もある。【０００４】
そこで、銃や砲の先端には、発射時のガスによる反動を低減させるための砲口制退器が取り付けられる。砲口制退器は、円筒形または箱型の形状を有し、側面に設けられた孔からガスを大気に開放して反動を減少させるもので、例えば、特許文献１に記載の砲口制退器が提案されている。【０００５】
ここで、特許文献１には、図６に示すような砲口制退器１００が記載されている。砲口制退器１００は、円筒状に形成された第１の制退器本体１０１及び第２の制退器本体１０２から構成される。また、第１の制退器本体１０１及び第２の制退器本体１０２の周面には、複数の通孔１０３が形成されている。【０００６】
また、砲口制退器１００は、砲身に取り付け可能なものとなっている。なお、砲口制退器１００は砲身用の装置であるが、通孔が形成された基本的な構造は、銃に装着可能な砲口制退器と共通するものである。【０００７】
また、砲口制退器と類似の構造を有する、発射炎を抑制する消炎器や発射音を抑制する消音器が存在する。これらは砲口制退器と同様に銃身の先端に装着し、通孔や内部に空間を設けることで機能するものとなっている。
【先行技術文献】
【特許文献】
【０００８】
【特許文献１】特開平１０―３００３９２号公報
【発明の概要】
【発明が解決しようとする課題】
【０００９】
特許文献１に記載された砲口制退器は、ガスを通孔から大気に拡散させて反動を低減するものである。しかしながら、銃口から拡散されたガスの一部により、銃身を後方に押し返す圧力が生じ、反動の抑制効果が充分に得られないという問題がある。【００１０】
また、ガスの一部は拡散するものの、発射に用いたガスの全てを即座に拡散させることができず、銃身内に残ったガスの作用により、銃身への反動が生じやすいものとなっている。【００１１】
また、通孔から拡散されたガスが建物の壁や地面等で反射して、その影響で銃身がぶれてしまうことがある。銃身のぶれにより、銃口位置が不安定になり、命中精度が低下してしまう。【００１２】
また、側面に設けられた通孔から、発射音が周囲に広がりやすく、発射音が大きくなってしまう。発射音が大きくなると、射手が大きな音にさらされるだけでなく、射手の位置が知られてしまうという不都合が生じる。【００１３】
また、複数の通孔からガスを拡散することで、発射ガスの乱れが生じやすく、発射直後の弾丸の弾道に影響を及ぼし、命中精度が低下してしまう。さらに、地面側に向いた通孔から拡散されたガスが、土や砂塵を巻き上げ、射手の視界を遮ることもある。【００１４】
また、消炎器には砲口制退器の機能を兼用した装置も存在し、銃身に装着されるが、本体の通孔から発射炎を逃がすため、周囲の人間に被害を及ぼす危険性がある。【００１５】
また、消音器は、銃身からガスを誘導し、本体内部を区切った複数の空気室にガスを溜め、圧力を下げてからガスを拡散させる。しかしながら、仕切板等の内部材の、ガスの圧力による消耗が著しく、仕切板の交換を頻繁に行わなければならない問題があった。【００１６】
本発明は、以上の点に鑑みて創案されたものであり、発射時のガスの影響を効率よく低減できる砲口制退器及び銃火器を提供することを目的とする。
【課題を解決するための手段】
【００１７】
上記の目的を達成するために、本発明の砲口制退器は、第１の孔部が形成された略筒形状であると共に、その内部に挿入された銃身の銃口を前記第１の孔部の近傍に位置せしめて固定可能な内壁部と、該内壁部を略囲繞する外壁部と、前記第１の孔部が形成された位置よりも銃身が挿入される側に配置され、前記内壁部と前記外壁部との間隙を閉塞する第１の閉塞部と、前記第１の孔部が形成された位置よりも前記第１の閉塞部とは逆側に配置され、前記内壁部と前記外壁部との間隙を閉塞する第２の閉塞部と、略筒形状であると共に、前記第１の孔部と前記第１の閉塞部の間の領域を前記内壁部及び前記外壁部に接した状態で移動可能なピストンと、該ピストンと前記第１の閉塞部との間に配置され、前記第１の孔部と前記第１の閉塞部の間の領域を移動可能であると共に、弾性を有するピストン受け部材とを備える。【００１８】
ここで、略筒形状であると共に、その内部に挿入された銃身を固定可能な内壁部によって、銃身に砲口制退器を装着することが可能となる。【００１９】
また、第１の孔部が形成されると共に、その内部に挿入された銃身の銃口を第１の孔部の近傍に位置せしめて固定可能な内壁部によって、発射時に生じるガスが第１の孔部に流れやすくなり、銃口及び内壁部側から第１の孔部側にガスを誘導することができる。【００２０】
また、内壁部を略囲繞する外壁部によって、銃身及び内壁部を取り囲み、内壁部との間に空間を形成することができる。即ち、発射時のガスを誘導し、この空間に一時的にガスを留めることができる。【００２１】
また、第１の孔部が形成された位置よりも第１の閉塞部とは逆側に配置され、内壁部と外壁部との間隙を閉塞する第２の閉塞部によって、外部に拡散されたガスの圧力で生じる銃身及び砲口制退器を後方に押す反動を低減させることができる。即ち、第２の閉塞部は、外部に拡散されたガスの圧力と、第１の孔部から誘導された発射ガスの圧力とを受け、外部に拡散されたガスによる反動を相殺し、低減させることができる。【００２２】
また、第１の孔部が形成された位置よりも第１の閉塞部とは逆側に配置され、内壁部と外壁部との間隙を閉塞する第２の閉塞部によって、内壁部及び外壁部の間に形成された空間の銃身が挿入される側と逆側を閉塞し、空間内にガスを留めることができる。即ち、ガスを外部に拡散させずに空間内に保ち、徐々に圧力を下げることが可能となる。【００２３】
また、略筒形状であると共に、第１の孔部と第１の閉塞部の間の領域を内壁部及び外壁部に接したピストンによって、第１の孔部から第１の閉塞部側に向けて拡散するガスを受け止めることができる。即ち、第２閉塞部側の空間に入りきらない余剰のガスによる圧力を受け止め、反動を減少させることができる。【００２４】
また、略筒形状であると共に、第１の孔部と第１の閉塞部の間の領域を内壁部及び外壁部に接した状態で移動可能なピストンによって、ピストンがガスの圧力に押されて移動し、ガスを留める空間の容積を広げることができる。即ち、より多量のガスを砲口制退器の内部に留め、ガスによる反動を低減させることができる。【００２５】
また、略筒形状であると共に、第１の孔部と第１の閉塞部の間の領域を内壁部及び外壁部に接した状態で移動可能なピストンによって、銃身の位置を安定化させることができる。即ち、ガスの圧力に押されたピストンが銃身と略平行な方向に移動することで、反動による銃身のぶれを低減し、銃身の位置を保つことが可能となる。【００２６】
また、ピストンと第１の閉塞部との間に配置され、第１の孔部と第１の閉塞部の間の領域を移動可能であると共に、弾性を有するピストン受け部材によって、より大きな圧力をピストンで受けることが可能となる。即ち、ガスに押されたピストンを縮んで受け止めたり、押し返したりすることができる。【００２７】
また、ピストンと第１の閉塞部との間に配置され、第１の孔部と第１の閉塞部の間の領域を移動可能なピストン受け部材によって、ピストン及びピストン受け部材がガスの圧力に押されて移動し、ガスを留める空間の容積を広げることができる。即ち、より多量のガスを砲口制退器の内部に留め、ガスによる反動を低減させることができる。【００２８】
また、第１の孔部が形成された位置よりも銃身が挿入される側に配置され、内壁部と外壁部との間隙を閉塞する第１の閉塞部によって、ガスの圧力によって移動したピストン受け部材を止めることができる。即ち、ガスの圧力に押されたピストン受け部材の伸びや縮みの動きを可能なものにする。【００２９】
また、ピストンは、回転自在に形成されると共に、その重心が偏って構成された場合には、銃身の円周方向における向きが変わっても、常に、垂直下方にピストンの重心の位置を保つことができる。即ち、銃を傾けて発射した際にも、ガスの反動による銃身の上方への跳ね上がりを充分に低減することが可能となる。【００３０】
また、第１の孔部とピストンの間に位置し、かつ、内壁部から外壁部側に突出した突起部を備える場合には、ピストンが第１の孔部よりも第２の閉塞部側に移動してしまうことを止めることができる。即ち、第１の孔部よりも第１の閉塞部側でガスがピストンにあたり、ピストンを確実に銃身側に移動するものにすることができる。【００３１】
また、第１の閉塞部に、開閉可能な第１の開口部が設けられた場合には、第１の閉塞部の側から、内壁部及び外壁部の間に形成された空間を開放することが可能になる。即ち、空間の内部に配置されたピストンやピストン受け部材が消耗した場合にも、容易に交換することができる。【００３２】
また、外壁部の外周面上、かつ、ピストンが移動可能な領域の少なくとも一部に第２の孔部が形成された場合には、ピストンを第１の閉塞部側に押すガスの一部を内壁部及び外壁部の間の空間から第２の孔部側へ誘導することができる。即ち、余剰のガスをさらに、第２の孔部側に拡散させることが可能となる。【００３３】
また、外壁部を略囲繞する誘導外壁部を備える場合には、銃身、内壁部及び外壁部を取り囲み、外壁部との間に空間を形成することができる。即ち、発射時のガスをさらに誘導し、この空間に一時的にガスを留めることができる。【００３４】
また、第２の孔部が形成された位置よりも銃身が挿入される側に配置され、外壁部と誘導外壁部との間隙を閉塞する第３の閉塞部を備える場合には、外壁部及び誘導外壁部の間に形成された空間の銃身が挿入される側を閉塞し、空間内にガスを留めることができる。即ち、ガスを外部に拡散させずに空間内に保ち、徐々に圧力を下げることが可能となる。【００３５】
また、第２の孔部が形成された位置よりも第３の閉塞部とは逆側に配置され、外壁部と誘導外壁部との間隙を閉塞する第４の閉塞部と、第４の閉塞部に設けられた第３の孔部を備える場合には、外壁部及び誘導外壁部の間に形成された空間内にガスを誘導しつつ、第３の孔部から外部へ放出することができる。即ち、ガスの圧力を下げながら、最終的に外部に拡散させることが可能となる。【００３６】
また、外壁部と誘導外壁部との間隙を閉塞すると共に、少なくとも一部に第４の孔部が形成された仕切り部を備える場合には、第４の孔部にガスを通して、仕切り部の配置された空間にガスを誘導することができる。即ち、ガスの移動に時間をかけさせて、ガスが冷却されやすくなり、よりガスの圧力を低減させることができる。【００３７】
また、仕切り部が複数配置された場合には、ガスの移動により時間がかかることとなり、ガスを充分に冷却させることが可能となる。【００３８】
また、仕切り部が複数配置されると共に、隣接した仕切り部同士で誘導外壁部の長手方向と略直交する平面における第４の孔部の形成位置が異なる場合には、より一層、ガスの冷却効果を高めることができる。即ち、ガスが通る第４の孔部の位置が異なることで、ガスは各仕切り部の第４の孔部の位置に移動することになり、移動に時間をかけさせることができる。【００３９】
また、第３の閉塞部に設けられた開閉可能な第２の開口部を備える場合には、第３の閉塞部の側から、外壁部及び誘導外壁部の間に形成された空間を開放することが可能になる。即ち、空間の内部に配置された仕切り部材が消耗した場合に、容易に交換することができる。【００４０】
また、上記の目的を達成するために、本発明の砲口制退器は、第１の孔部及び該第１の孔部と所定の間隔を空けて位置する第２の孔部が形成された略筒形状であると共に、その内部に挿入された銃身の銃口を前記第２の孔部の近傍に位置せしめて固定可能な内壁部と、該内壁部を略囲繞する外壁部と、前記第１の孔部が形成された位置よりも銃身が挿入される側とは反対側に配置され、前記内壁部と前記外壁部との間隙を閉塞する第１の閉塞部と、前記第２の孔部が形成された位置よりも銃身が挿入される側に配置され、前記内壁部と前記外壁部との間隙を閉塞する第２の閉塞部と、該内壁部の外周面、かつ、前記第１の孔部の前記第２の孔部側に隣接して位置すると共に、前記内壁部から前記外壁部側に突出した突起部とを備える。【００４１】
ここで、略筒形状であると共に、その内部に挿入された銃身の銃口を第２の孔部の近傍に位置せしめて固定可能な内壁部によって、銃身に砲口制退器を装着することが可能となる。【００４２】
また、第２の孔部が形成されると共に、その内部に挿入された銃身の銃口を第２の孔部の近傍に位置せしめて固定可能な内壁部によって、発射時に生じるガスが第２の孔部に流れやすくなり、銃口及び内壁部側から第２の孔部側にガスを誘導することができる。【００４３】
また、内壁部を略囲繞する外壁部によって、銃身及び内壁部を取り囲み、内壁部との間に空間を形成することができる。即ち、発射時のガスを誘導し、この空間に一時的にガスを留めることができる。【００４４】
また、第１の孔部及び第１の孔部と所定の間隔を空けて位置する第２の孔部が形成された内壁部と、内壁部を略囲繞する外壁部によって、第２の孔部から内壁部及び外壁部の間の空間に誘導したガスを、第１の孔部から再び、内壁部の内側の空間へと誘導することができる。即ち、銃口から第１の孔部に入らずに拡散されるガスに対して、第１の孔部を通るガスの気流をぶつけることで、第１の孔部に入らずに拡散されたガスの勢いを弱めることが可能となる。【００４５】
また、内壁部の外周面、かつ、第１の孔部の第２の孔部側に隣接して位置すると共に、内壁部から外壁部側に突出した突起部によって、第１の孔部近傍の内壁部と外壁部の間の空間の体積を小さくすることができる。即ち、第２の孔部近傍のガスの気流に比べ、第１の孔部近傍のガスの気流の速度が速くなり、第１の孔部に入らずに拡散されるガスに勢いよくぶつけることができる。【００４６】
また、上記の目的を達成するために、本発明の銃火器は、銃口近傍の領域に銃身孔部が形成された銃身と、該銃身を内部に固定可能な略筒状形状であると共に、前記銃身孔部と対応する領域に第１の孔部が形成された内壁部と、該内壁部を略囲繞すると共に、前記第１の孔部が形成された位置よりも前記銃身が挿入される側に第２の孔部が形成された外壁部と、前記第１の孔部が形成された位置よりも銃身が挿入される側に配置され、前記内壁部と前記外壁部との間隙を閉塞する第１の閉塞部と、前記第１の孔部が形成された位置よりも前記第１の閉塞部とは逆側に配置され、前記内壁部と前記外壁部との間隙を閉塞する第２の閉塞部と、前記外壁部を略囲繞する誘導外壁部と、前記第２の孔部が形成された位置よりも銃身が挿入される側に配置され、前記外壁部と前記誘導外壁部との間隙を閉塞する第３の閉塞部と、前記第２の孔部が形成された位置よりも前記第３の閉塞部とは逆側に配置され、前記外壁部と前記誘導外壁部との間隙を閉塞する第４の閉塞部と、前記第４の閉塞部に設けられた第３の孔部と、前記外壁部と前記誘導外壁部との間隙を閉塞すると共に、少なくとも一部に第４の孔部が形成された仕切り部とを有する砲口制退器とを備える。【００４７】
ここで、銃口近傍の領域に銃身孔部が形成された銃身によって、発射時のガスを銃身孔部から外部へと拡散させることができる。【００４８】
また、銃身を内部に固定可能な略筒状形状である内壁部によって、銃身に砲口制退器を装着することが可能となる。【００４９】
また、銃身孔部と対応する領域に第１の孔部が形成された内壁部によって、銃身孔部を通って拡散されたガスを第１の孔部を通して誘導することができる。【００５０】
また、内壁部を略囲繞すると共に、第１の孔部が形成された位置よりも銃身が挿入される側に第２の孔部が形成された外壁部によって、内壁部と間に空間を形成し、第１の孔部を通ったガスを第２の孔部側へと誘導することができる。即ち、空間内にガスを誘導しながら、冷却し、ガスの圧力を徐々に低減させることができる。【００５１】
また、外壁部を略囲繞する誘導外壁部によって、銃身、内壁部及び外壁部を取り囲み、外壁部との間に空間を形成することができる。即ち、発射時のガスをさらに誘導し、この空間に一時的にガスを留めることができる。【００５２】
また、第２の孔部が形成された位置よりも第３の閉塞部とは逆側に配置され、外壁部と誘導外壁部との間隙を閉塞する第４の閉塞部と、第４の閉塞部に設けられた第３の孔部によって、外壁部及び誘導外壁部の間に形成された空間内にガスを誘導しつつ、第３の孔部から外部へ放出することができる。即ち、ガスの圧力を下げながら、最終的に外部に拡散させることが可能となる。【００５３】
また、外壁部と誘導外壁部との間隙を閉塞すると共に、少なくとも一部に第４の孔部が形成された仕切り部によって、第４の孔部にガスを通して、仕切り部の配置された空間にガスを誘導することができる。即ち、ガスの移動に時間をかけさせて、ガスが冷却されやすくなり、よりガスの圧力を低減させることができる。
【発明の効果】
【００５４】
本発明に係る砲口制退器は、発射時のガスの影響を効率よく低減できるものとなっている。
また、本発明に係る銃火器は、発射時のガスの影響を効率よく低減できるものとなっている。
【図面の簡単な説明】
【００５５】
【図１】本発明の第１の実施形態の一例を示す概略斜視図である。
【図２】本発明の第２の実施形態の一例を示す概略断面図である。
【図３】仕切板（１）の構造を示す概略図（ａ）及び仕切板（２）の構造を示す概略図（ｂ）である。
【図４】本発明の第３の実施形態の一例を示す概略断面図である。
【図５】本発明の第４の実施形態の一例を示す概略断面図である。
【図６】従来の砲口制退器を示した概略図である。
【発明を実施するための形態】
【００５６】
以下、砲口制退器に関する本発明の実施の形態について図面を参照しながら説明し、本発明の理解に供する。
図１は、本発明の第１の実施形態の一例を示す概略斜視図である。
【００５７】
ここで、図１に示すように、本発明を適用した砲口制退器の一例であるマズルブレーキ１は、内筒部２、外筒部３、蓋部４を備えている。
【００５８】
また、内筒部２の内部には、銃身５の先端部分が固定されている。内筒部２の内側は、銃口６の延長線上に空間が形成された形状となっている。また、銃口６の近傍に、第１のガス誘導孔７が複数形成されている。発射時のガスは、銃口６から第１のガス誘導孔７を通り、内筒部３と外筒部４の間の空間に誘導される。
【００５９】
また、外筒部３は、内筒部２を覆い、内筒部２との間に空間を形成している。また、内筒部２と外筒部３の銃身５側は開口が形成され、弾丸の発射方向側は閉塞部１１が形成されている。また、銃身５側の開口は蓋部４によって閉塞され、開閉可能な構造となっている。また、蓋部４は、銃身５に対してネジ留めで固定可能な構造（図示せず）となっている。
【００６０】
また、内筒部２と外筒部３の間の空間には、第１のガス誘導孔７より銃身５側に、略円筒状のピストン８が内筒部２の長手方向に移動可能に配置されている。ピストン８は、内筒部２及び外筒部３に接し、ガスの圧力を受け止めて移動する部材となっている。
【００６１】
また、ピストン８は内周に接する内筒部２を軸として、回転自在に形成されている。また、ピストン８は、一部の領域に重りが内蔵され、その重心の位置が偏って形成されている。
【００６２】
また、ピストン８に隣接して、バネ９が配置されている。バネ９は、ガスの圧力によって押されて銃身５側に移動するピストン８を支える部材となっている。また、ピストン８及びバネ９は、固定されておらず、各々が、第１のガス誘導孔７と蓋部４の間を移動可能なものとなっている。また、バネ９の両端には、ベアリング付きのバネ受皿（図示せず）が配置されている。
【００６３】
また、内筒部２には、第１のガス誘導孔７の銃身５側に隣接して、略円筒状のストッパー１０が形成されている。ストッパー１０は、ピストン８の第１のガス誘導孔７側への移動を抑止するものとなっている。
【００６４】
ここで、第１のガス誘導孔７の数や形状は、発射時のガスを内筒部２及び外筒部３の間の空間に誘導することが可能であれば充分であり、特に限定されるものではない。複数の孔部を内筒部２の円周面上に設ける構造や、スリット状の開口を設ける構造なども採用することができる。
【００６５】
また、必ずしも、蓋部４が銃身５に対してネジ留めで固定可能な構造とされる必要はない。但し、マズルブレーキ１を銃身５に対して強固に取り付けることが可能となる点から、蓋部４が銃身５に対してネジ留めで固定可能な構造とされることが好ましい。
【００６６】
また、ピストン８は、ガスの圧力を受け止めることが可能であれば、その大きさや重さが特に限定されるものでない。装着する銃の種類や弾丸の種類に応じて、適度な大きさや重さのものを選択することができる。
【００６７】
また、必ずしも、ピストン８が回転自在かつ重心の位置が偏って形成される必要はない。但し、銃身５を傾けて撃つ場合にも、銃身５の上方への跳ね上がりを低減させることができる点から、ピストン８が回転自在かつ重心の位置が偏って形成されることが好ましい。
【００６８】
また、必ずしも、ピストン８は一部の領域に重りが内蔵される必要はない。重心の位置を偏らせる構造としては、ピストンの一部の領域を中空にして形成する構造等も採用しうる。
【００６９】
また、バネ９は、ガスの圧力に押されるピストン８を支えることができれば充分であり、その形状や弾性力の強度が特に限定されるものではない。装着する銃の種類や弾丸の種類に応じて、適度な形状や弾性力の強度を有するものを選択することができる。
【００７０】
なお、ピストン８の重さや、バネ９の弾性力の強度を変えることで、ピストン８及びバネ９の移動距離を調節することが可能となる。この移動距離が調節すると、内壁部２及び外壁部３が形成する空間の容積を変えることができる。例えば、発射時のガスの量が多い場合にも、ピストン８及びバネ９の移動距離を長くすることで、空間の容積を大きく確保することができ、ガスの反動を充分に低減させることが可能となる。この結果、マズルブレーキ１を多様な種類の銃や弾丸に対応可能な装置とすることができる。
【００７１】
また、必ずしも、ピストン８及びバネ９が固定されない構造とされる必要はなく、ガスの圧力を受け止めることが可能であれば充分である。例えば、ピストン８及びバネ９を接続し、バネ９のピストン８とは反対側の端部を内筒部２に固定する構造も考えられる。
【００７２】
また、必ずしも、内筒部２にストッパー１０が形成される必要はない。但し、ピストン８の第１のガス誘導孔７側への移動を抑え、第１のガス誘導孔７からくるガスの圧力を受けやすくなる点から、内筒部２にストッパー１０が形成されることが好ましい。
【００７３】
また、必ずしも、バネ９の両端にベアリング付きのバネ受皿が配置される必要はない。但し、ピストン８の移動を充分に支持し、装置の耐久性を向上させる点から、バネ９の両端にベアリング付きのバネ受皿が配置されることが好ましい。
【００７４】
また、ストッパー１０は、ピストン８の第１のガス誘導孔７側への移動を抑えることができれば充分であり、その形状が特に限定されるものではない。例えば、内筒部２の円周上に部分的に形成される構造であってもよい。
【００７５】
以下、本発明の第１の実施形態の使用について説明し、本発明の理解に供する。
【００７６】
発射時のガスの動き及び反動の低減は以下のようになっている。
【００７７】
まず、発射時には、銃口６から弾丸が発射され、発射ガスの一部が銃口６の延長線上の内筒部２の開口から外部に拡散していく。外部に拡散されたガスによる圧力が、マズルブレーキ１及び銃身５を射手側の後方へと押す反動となる。
【００７８】
また、外部に拡散されなかったガスは、第１のガス誘導孔７を通り、内筒部２及び外筒部３の間の空間へと流れていく。このガスは空間内に一定時間留められ、時間の経過と共に冷却されることで体積が収縮し、圧力が徐々に下がっていく。圧力の低下により、ガスの反動が弱まっていく。
【００７９】
また、第１のガス誘導孔７を通ったガスの一部は、閉塞部１１に受け止められ、発射方向への圧力を及ぼすものとなる。この圧力は、マズルブレーキ１及び銃身５を発射方向へ押し出す力として働く。
【００８０】
つまり、閉塞部１１を境界として、外部に拡散されたガスと第１のガス誘導孔７を通ったガスの圧力が対向して作用し、外部に拡散されたガスによる反動を低減させることができるものとなっている。
【００８１】
また、第１のガス誘導孔７を通ったガスのうち、閉塞部１１側の空間で収まりきれなかった余剰分のガスがピストン８の方向へと流れていく。余剰分のガスの圧力により、ピストン８が押され、後方へと移動していく。また、ピストン８はバネ９によって支えられる。
【００８２】
ピストン８が、銃身５と略平行な方向に移動することで、ガスの反動による銃身のぶれを低減し、銃身の位置を保つことができる。また、バネ９が縮むことで、空間の容積が大きくなり、余剰分のガスも空間内に留めておくことができる。
【００８３】
また、外部に拡散したガスや、銃身内部に残っているガスは、マズルッブレーキ１及び銃身５を上方へと跳ね上げる縦方向への反動を生じさせる。しかし、ピストン９が回転自在かつ重心が偏って形成されていることから、常に垂直下方にピストンの重心が位置し、ガスによる縦方向への反動を効果的に抑えることが可能となる。
【００８４】
このように、マズルブレーキ１の内部に誘導されたガスは、その圧力を銃身５の前方方向への押出しや、ピストン８の移動に利用される。また、ガスは、一定時間、空間内に留められることで冷却されて徐々に圧力が下がり、最終的には、銃口６の延長線上の内筒部２の開口からゆっくりと外部に拡散される。
【００８５】
以上のとおり、本発明の第１の実施形態では、マズルブレーキ１の内部に誘導したガスの圧力を利用して、外部に拡散されたガスの圧力による反動を相殺し、銃身５に及ぶ反動を低減させることができる。
【００８６】
また、マズルブレーキ１の内部にガスを一定時間留め、時間の経過と共にガスの圧力を低減させることができる。
【００８７】
また、ピストン８の移動により、ガスの圧力による後方に向けて働く反動を低減させることができる。また、ピストンの回転自在かつ重心の位置が偏った構造により、縦方向への反動を低減させることができる。また、ピストン８が移動することで、銃身５の位置を安定化させることができる。
【００８８】
また、発射ガスが、内筒部２の開口以外から拡散されないため、壁や地面等の周囲の地形でのガスの反射が起こりにくく、銃身５のぶれを少ないものにできる。また、発射音を小さなものにすることができる。
【００８９】
また、発射ガスと同様に発射炎が、内筒部２の開口以外から拡散されないため、周囲の人間に発射炎による被害を及ぼしにくいものとすることができる。
【００９０】
また、蓋部４が開閉可能な構造となっているため、ピストン８やバネ９の交換を容易に行うことができ、装置の保守性を高めることができる。
【００９１】
また、ピストンは、繰り返しの移動に耐えうる頑丈な構造であるため、発射ガスによる消耗が少なく、装置の耐久性を高めることができる。
【００９２】
続いて、本発明の第２の実施形態について説明する。
図２は、本発明の第２の実施形態の一例を示す概略断面図である。図３は、仕切板（１）の構造を示す概略図（ａ）及び仕切板（２）の構造を示す概略図（ｂ）である。
【００９３】
図２に示すように、本発明を適用した砲口制退器の一例である大口径用マズルブレーキ１２は、内筒部１３、外筒部１４、誘導外筒部１５、蓋部１６を備えている。
【００９４】
また、内筒部１３の内部には大口径の銃身１７が固定されている。なお、内筒部１３、外筒部１４の基本的な構造と、第１のガス誘導孔７、ピストン８、バネ９、ストッパー１０、閉塞部１１は第１の実施形態と共通するため説明を省略する。
【００９５】
図２に示すように、外筒部１４の外周面上の一部には、第２のガス誘導孔１８が形成されている。第２のガス誘導孔１８は、ピストン８の移動領域の途中かつピストン８が充分に押された位置の近傍に形成され、内筒部１３及び外筒部１４の間の空間を通り、ピストン８を押してきたガスを通すものとなっている。
【００９６】
また、誘導外筒部１５は、外筒部１４を覆い、外筒部１４との間に空間を形成している。また、外筒部１４と誘導外筒部１５の銃身５側は開口が形成され、弾丸の発射方向側は閉塞部１９が形成されている。また、閉塞部１９には、ガスを外部に拡散させるための第３のガス誘導孔２０が形成されている。
【００９７】
また、銃身１７側の開口は蓋部１６によって閉塞され、開閉可能な構造となっている。また、蓋部１６は、銃身１７に対してネジ留めで固定可能な構造２１となっている。
【００９８】
また、大口径用マズルブレーキ１２は、外筒部１４と誘導外筒部１５の間の空間を仕切る複数の仕切板２２が配置されている。仕切板２２には、ガスを通すための第４のガス誘導孔２３が設けられている。
【００９９】
また、図３に示すように、仕切板２２における第４のガス誘導孔２３の位置は、２パターン形成されている。図３の図はいずれも、誘導外筒部１５の長手方向に略直交する面側から見た図である。
【０１００】
図３（ａ）に示す仕切板２２では、仕切板２２の外周近傍に複数の第４のガス誘導孔２３が形成されている。一方、図３（ｂ）に示す仕切板２２では、仕切板２２の内周近傍に複数の第４のガス誘導孔２３が形成されている。
【０１０１】
大口径用マズルブレーキ１２では、これら２種類の仕切板２２を、図２に示すように、交互に配置した構造となっている。
【０１０２】
ここで、外筒部１４の第２のガス誘導孔１８の数や形状は、ガスを銃身１７側の領域かつ外筒部１４と誘導外筒部１５の間の空間に誘導するものであれば充分であり、特に限定されるものではない。複数の孔部を外筒部１４の外周面上に設ける構造や、スリット状の開口を設ける構造なども採用することができる。
【０１０３】
また、必ずしも、第２のガス誘導孔１８はピストン８が充分に押された位置の近傍に形成される必要はない。但し、内筒部１３及び外筒部１４の間の空間の容積を充分に利用することができる点から、第２のガス誘導孔１８はピストン８が充分に押された位置の近傍に形成されることが好ましい。
【０１０４】
また、必ずしも、蓋部１６が銃身１７に対してネジ留めで固定可能な構造２１とされる必要はない。但し、大口径用マズルブレーキ１２を銃身１７に対して強固に取り付けることが可能となる点から、蓋部１６が銃身１７に対してネジ留めで固定可能な構造２１とされることが好ましい。
【０１０５】
また、必ずしも、大口径用マズルブレーキ１２に仕切板２２が配置される必要はない。但し、誘導したガスの移動に時間をかけさせ、冷却効果を高めて、充分の圧力を低減させることが可能となる点から、大口径用マズルブレーキ１２に仕切板２２が配置されることが好ましい。
【０１０６】
また、必ずしも、大口径用マズルブレーキ１２に、第４のガス誘導孔２３の位置が異なる２種類の仕切板が交互に配置される必要はない。但し、誘導したガスの移動により一層時間をかけさせ、冷却効果を高めて、充分の圧力を低減させることが可能となる点から、大口径用マズルブレーキ１２に、第４のガス誘導孔２３の位置が異なる２種類の仕切板を交互に配置されることが好ましい。
【０１０７】
また、仕切板２２の配置構造は特に限定されるものではない。例えば、一枚ずつを配置する構造や、複数の仕切板２２を棒部材で連結させて一体化させた構造等も採用することができる。一体化させた構造では、仕切板２２をまとめて交換することが可能となり、装置の保守を容易にすることができる。
【０１０８】
また、大口径用マズルブレーキ１２に装着可能な銃は特に限定されるものではない。例えば、２２２口径以上の銃に装着し、使用することが考えられる。
【０１０９】
以下、本発明の第２の実施形態の使用について説明し、本発明の理解に供する。
【０１１０】
発射時のガスの動き及び反動の低減は以下のようになっている。
【０１１１】
大口径の銃身１７では、口径が大きな分、弾丸の発射に必要なガスの量が多くなる。これに伴い、ガスが銃身に及ぼす反動が大きくなるものとなっている。第２の実施形態では、ガスがピストン８を押して移動してきた所から説明を行う。
【０１１２】
まず、発射ガスのうち、第１のガス誘導孔７を通って、ピストン８を押してきたガスは、外筒部１４の第２のガス誘導孔１８を通過して、誘導外筒部１５に形成された空間に流れていく。このガスは空間内に一定時間留められ、時間の経過と共に冷却されることで体積が収縮し、圧力が徐々に下がっていく。圧力の低下により、ガスの反動が弱まっていく。
【０１１３】
また、第２のガス誘導孔１８を通過したガスのうち、誘導外筒部１５に形成された空間に収まりきれなかった余剰分のガスが、仕切部２２の側へ向かう。ガスは、仕切部２２の第４のガス誘導孔２３を通り、複数の仕切板２２で形成された空間内へと誘導される。
【０１１４】
また、仕切板２２は、第４のガス誘導孔２３の形成位置が隣接した仕切板２２同士で異なり、誘導されたガスは、各板の第４のガス誘導孔２３に向けて移動していく。この過程で、ガスの移動に時間をかけることができ、ガスの冷却効果を高めることができる。
【０１１５】
仕切板２２の第４のガス誘導孔２３を通過してきたガスは、閉塞部１９に形成された第３のガス誘導孔２０から外部に拡散されていく。また、大口径用マズルブレーキ１２の内部に留められたガスは、冷却されて徐々に圧力が下がり、銃口２４の延長線上の内筒部１３の開口からもゆっくりと外部に拡散される。
【０１１６】
以上のとおり、本発明の第２の実施形態では、大口径用のマズルブレーキ１２の内部に誘導したガスの圧力を利用して、外部に拡散されたガスの圧力による反動を相殺し、銃身１７に及ぶ反動を低減させることができる。
【０１１７】
また、ピストン８の移動により、ガスの圧力による後方に向けて働く反動を低減させることができる。また、ピストンの回転自在かつ重心の位置が偏った構造により、縦方向への反動を低減させることができる。また、ピストン８が移動することで、銃身１７の位置を安定化させることができる。
【０１１８】
また、誘導外筒部１５を設けることで、内部に留めるガスの量を増やし、大口径用の銃に対応可能な装置となっている。また、仕切板を設けることでガスの冷却効果を高め、反動を低減できるものとなっている。
【０１１９】
続いて、本発明の第３の実施形態について説明する。
図４は、本発明の第３の実施形態の一例を示す概略断面図である。
【０１２０】
図４に示すように、本発明を適用した砲口制退器の一例である簡易型マズルブレーキ２５は、内筒部２６、外筒部２７を備えている。
【０１２１】
また、内筒部２６の内部には銃身２８が固定されている。また、内筒部２６の弾丸の発射方向側には第１のガス誘導孔２９が形成されている。また、内筒部２６の銃口３０の近傍には、第２のガス誘導孔３１が形成されている。
【０１２２】
また、第１のガス誘導孔２９の内筒部２６の円周面上の総断面積は、第２のガス誘導孔３１の内筒部２６の円周面上の総断面積よりも小さくなるように形成されている。
【０１２３】
また、内筒部２６には、第１のガス誘導孔２９の銃身２８側に隣接して、突起部３２が形成されている。突起部３２が形成されたことで、内筒部２６と外筒部２７の間の空間は部分的に容積が小さくなっている。これにより、誘導されたガスの気流の速度を高め、第１のガス誘導孔２９から内筒部２６側へ流れるガスの圧力を高めることができる。
【０１２４】
また、外筒部２７は、内筒部２６を覆い、内筒部２６との間に空間を形成している。また、内筒部２６と外筒部２７の銃身５側は、第２のガス誘導孔３１の近傍で傾斜面３３を有する閉塞部３４が形成されている。また、また、内筒部２６と外筒部２７の発射方向側には、湾曲面３５を有する閉塞部３６が形成されている。
【０１２５】
また、内筒部２６及び外筒部２７の間、かつ、閉塞部３４より銃身２８側の領域は、中実の領域となっている。
【０１２６】
ここで、第１のガス誘導孔２９の数や形状は、ガスを内筒部２６及び外筒部２７の間の空間から内筒部２６の内側の空間に誘導が可能であれば充分であり、特に限定されるものではない。複数の孔部を内筒部２６の円周面上に設ける構造や、スリット状の開口を設ける構造なども採用することができる。
【０１２７】
また、第２のガス誘導孔３１の数や形状は、ガスを内筒部２６及び外筒部２７の間の空間に誘導が可能であれば充分であり、特に限定されるものではない。複数の孔部を内筒部２６の円周面上に設ける構造や、スリット状の開口を設ける構造なども採用することができる。
【０１２８】
また、必ずしも、第１のガス誘導孔２９の内筒部２６の円周面上の総断面積が、第２のガス誘導孔３１の内筒部２６の円周面上の総断面積よりも小さくなるように形成される必要はない。但し、第１のガス誘導孔を通過するガスの速度を上げ、銃口３０から外部に拡散されるガスにより生じる反動を、より効果的に低減させることが可能な点から、第１のガス誘導孔２９の内筒部２６の円周面上の総断面積が、第２のガス誘導孔３１の内筒部２６の円周面上の総断面積よりも小さくなるように形成されることが好ましい。
【０１２９】
また、必ずしも、閉塞部３４が傾斜面３３を有する必要はない。但し、第２のガス誘導孔３１を通過するガスの発射方向側への流れを円滑にし、銃口３０から外部へ拡散するガスの勢いを低減しやすくする点から、閉塞部３４が傾斜面３３を有することが好ましい。
【０１３０】
また、必ずしも、閉塞部３６が湾曲面３５を有する必要はない。但し、流れてくるガスの第１のガス誘導孔２９側への流れを円滑にし、銃口３０から外部へ拡散するガスの勢いを低減しやすくする点から、閉塞部３６が湾曲面３５を有することが好ましい。
【０１３１】
以下、本発明の第３の実施形態の使用について説明し、本発明の理解に供する。
【０１３２】
発射時のガスの動き及び反動の低減は以下のようになっている。
【０１３３】
まず、発射時には、銃口３０から弾丸が発射され、発射ガスの一部が銃口３０の延長線上の内筒部２６の開口から外部に拡散していく。外部に拡散されたガスによる圧力が、簡易型マズルブレーキ２５及び銃身２８を射手側の後方へと押す反動となる。
【０１３４】
また、外部に拡散されなかったガスの一部は、第２のガス誘導孔３１を通り、内筒部２６及び外筒部２８の間の空間へと流れていく。ガスは閉塞部３４の傾斜面３３に沿って流れ、発射方向側へと移動する。
【０１３５】
また、第２のガス誘導孔３１を通ったガスは、突起部３２の位置で、気流の速度が高められ、閉塞部３６の位置に達する。ガスは閉塞部３６に受け止められ、発射方向への圧力を及ぼすものとなる。この圧力は、簡易型マズルブレーキ２５及び銃身２８を発射方向へ押し出す力として働く。
【０１３６】
つまり、閉塞部３６を境界として、外部に拡散されたガスと第２のガス誘導孔３１を通ったガスの圧力が対向して作用し、外部に拡散されたガスによる反動を低減させることができるものとなっている。
【０１３７】
また、閉塞部３６の位置に達したガスは、湾曲面３５に沿って流れ、第１のガス誘導孔２９を通過する。第１のガス誘導孔２９を通過したガスが、銃口３０から第１のガス誘導孔２９を通らずに外部へ拡散されようとするガスにぶつかり、勢いを弱めて反動を低減させることができる。
【０１３８】
外部へ拡散されるガスは、勢いが弱められた後、銃口３０の延長線上の内筒部２６の開口から外部に拡散される。
【０１３９】
以上のとおり、本発明の第３の実施形態では、ガスの気流の流れを利用して、外部に拡散されるガスにぶつけることで、ガスにより銃身に及ぼされる反動を低減できるものとなっている。
【０１４０】
また、簡易型マズルブレーキ２５は、構造が簡易であるため、壊れにくく、取り付けや取り外しが容易なものとなっている。
【０１４１】
続いて、本発明の第４の実施形態について説明する。
図５は、本発明の第４の実施形態の一例を示す概略断面図である。
【０１４２】
図５に示すように、本発明を適用した銃火器の一例である銃３７は、銃身３８と、マズルブレーキ３９を備えている。銃身３８には、銃口４０近傍に銃身孔部４１が複数形成されている。
【０１４３】
また、マズルブレーキ３９は、内筒部４２と、外筒部４３と、誘導外筒部４４を備えている。
【０１４４】
また、内筒部４２の内側に銃身３８が挿入され、ネジ固定部４５で銃身３８と固定されている。また、内筒部４２の銃身孔部４１と対応する位置には、第１のガス誘導孔５３が複数形成されている。
【０１４５】
また、外筒部４３は、内筒部４２を覆い、内筒部４２との間に空間を形成している。また、内筒部４２と外筒部４３の弾丸の発射方向側は閉塞部４６が形成されている。また、外筒部４３の外周面かつ銃身３８側には、第２のガス誘導孔４７が形成されている。
【０１４６】
また、誘導外筒部４４は、外筒部４３を覆い、外筒部４３との間に空間を形成している。また、外筒部４３と誘導外筒部４４の弾丸の発射方向側は閉塞部４８が形成されている。また、閉塞部４８には、ガスを外部に拡散させるための第３のガス誘導孔４９が形成されている。また、外筒部４３及び誘導外筒部４４の銃身側には閉塞部５０が形成されている。
【０１４７】
また、マズルブレーキ３８は、外筒部４３と誘導外筒部４４の間の空間を仕切る複数の仕切板５１が配置されている。仕切板５１には、ガスを通すための第４のガス誘導孔５２が設けられている。
【０１４８】
以下、本発明の第４の実施形態の使用について説明し、本発明の理解に供する。
【０１４９】
発射時のガスの動き及び反動の低減は以下のようになっている。
【０１５０】
まず、発射時には、銃口４０から弾丸が発射され、発射ガスの一部が銃口４０から外部に拡散していく。外部に拡散されたガスによる圧力が、マズルブレーキ３９及び銃身３８を射手側の後方へと押す反動となる。
【０１５１】
また、外部に拡散されなかったガスは、第１のガス誘導孔５３を通り、内筒部４２及び外筒部４４の間の空間へと流れていく。また、第１のガス誘導孔５３を通ったガスの一部は、閉塞部４６に受け止められ、発射方向への圧力を及ぼすものとなる。この圧力は、マズルブレーキ３９及び銃身３８を発射方向へ押し出す力として働く。
【０１５２】
また、第１のガス誘導孔５３を通ったガスは、第２のガス誘導孔４７側に流れ、孔を通過し、外筒部４４及び誘導外筒部４４の間の空間へと流れ、仕切板５１の側へ向かう。ガスは、仕切部５１の第４のガス誘導孔５２を通り、複数の仕切板５１で形成された空間内へと誘導される。
【０１５３】
仕切板５１の第４のガス誘導孔５２を通過してきたガスは、閉塞部４８に形成された第３のガス誘導孔４９から外部に拡散されていく。また、マズルブレーキ３９の内部に留められたガスは、冷却されて徐々に圧力が下がり、銃口４０からもゆっくりと外部に拡散される。
【０１５４】
以上のとおり、本発明の第３の実施形態では、マズルブレーキ３９の内部に誘導したガスの圧力を利用して、外部に拡散されたガスの圧力による反動を相殺し、銃身３８に及ぶ反動を低減させることができる。
【０１５５】
また、銃身孔部４１とこれに対応する第１のガス誘導孔５３により、発射時のガスをより直接的にマズルブレーキ３９の内部に取込むことができる。これにより、ガスの反動を低減させる効果を高めることができる。
【０１５６】
また、誘導外筒部４４を設けることで、内部に留めるガスの量を増やし、大口径用の銃に対応可能な装置となっている。また、仕切板５１を設けることでガスの冷却効果を高め、反動を低減できるものとなっている。
【０１５７】
以上のように、本発明を適用した砲口制退器は、発射時のガスの影響を効率よく低減できるものとなっている。
また、本発明を適用した銃火器は、発射時のガスの影響を効率よく低減できるものとなっている。
【符号の説明】
【０１５８】
１      マズルブレーキ
２      内筒部
３      外筒部
４      蓋部
５      銃身
６      銃口
７      第１のガス誘導孔
８      ピストン
９      バネ
１０      ストッパー
１１      閉塞部
１２      大口径用マズルブレーキ
１３      内筒部
１４      外筒部
１５      誘導外筒部
１６      蓋部
１７      銃身
１８      第２のガス誘導孔
１９      閉塞部
２０      第３のガス誘導孔
２１      固定構造
２２      仕切板
２３      第４のガス誘導孔
２４      銃口
２５      簡易型マズルブレーキ
２６      内筒部
２７      外筒部
２８      銃身
２９      第１のガス誘導孔
３０      銃口
３１      第２のガス誘導孔
３２      突起部
３３      傾斜面
３４      閉塞部
３５      湾曲面
３６      閉塞部
３７      銃
３８      銃身
３９      マズルブレーキ
４０      銃口
４１      銃身孔部
４２      内筒部
４３      外筒部
４４      誘導外筒部
４５      ネジ固定部
４６      閉塞部
４７      第２のガス誘導孔
４８      閉塞部
４９      第３のガス誘導孔
５０      閉塞部
５１      仕切板
５２      第４のガス誘導孔
５３      第１のガス誘導孔
【要約】本発明を適用した砲口制退器の一例であるマズルブレーキ１は、内筒部２、外筒部３、蓋部４を備えている。また、内筒部２の内部には、銃身５の先端部分が固定されている。内筒部２の内側は、銃口６の延長線上に空間が形成された形状となっている。また、銃口６の近傍に、第１のガス誘導孔７が複数形成されている。発射時のガスは、銃口６から第１のガス誘導孔７を通り、内筒部３と外筒部４の間の空間に誘導される。【図１】
0005414954.tif 000002
【図２】
0005414954.tif 000003
【図３】
0005414954.tif 000004
【図４】
0005414954.tif 000005
【図５】
0005414954.tif 000006
【図６】
0005414954.tif 000007